(57)【要約】【課題】当該画像処理装置の利用者の携帯情報端末と効率的に接続を行う画像処理装置、該画像処理装置における通信方法及び通信プログラム、携帯情報端末並びに情報処理システムの提供。【解決手段】当該画像処理装置の使用を検出した場合に起動され、携帯情報端末と短距離無線通信を行う短距離無線通信手段と、前記短距離無線通信の電波強度に基づいて、当該画像処理装置と短距離無線通信を行う前記携帯情報端末を特定する通信対象特定手段とを有し、前記短距離無線通信手段は、前記通信対象特定手段が特定した前記携帯情報端末と短距離無線通信の接続を行うことを特徴とする、画像処理装置。【選択図】図１
2013146048.tif 000002
【特許請求の範囲】
【請求項１】
当該画像処理装置の使用を検出した場合に起動され、携帯情報端末と短距離無線通信を行う短距離無線通信手段と、
前記短距離無線通信の電波強度に基づいて、当該画像処理装置と短距離無線通信を行う前記携帯情報端末を特定する通信対象特定手段とを有し、
前記短距離無線通信手段は、前記通信対象特定手段が特定した前記携帯情報端末と短距離無線通信の接続を行うことを特徴とする、画像処理装置。
【請求項２】
当該画像処理装置の使用に供した物であって、当該画像処理装置に残置された残置物を検出する残置物検出手段を有し、
前記短距離無線通信手段は、前記通信対象特定手段が特定した前記携帯情報端末のうち、残置物報知機能を有する前記携帯情報端末に、前記残置物の存在を通知することを特徴とする、請求項１記載の画像処理装置。
【請求項３】
前記短距離無線通信の電波強度に基づいて、当該画像処理装置と前記通信対象特定手段が特定した前記携帯情報端末との距離を推定する距離推定手段を有し、
前記残置物検出手段は、前記距離推定手段により推定された距離が所定の距離を超えた場合に前記残置物を検出することを特徴とする、請求項２記載の画像処理装置。
【請求項４】
当該画像処理装置の使用を検出する使用検出手段と、
前記使用の完了を検出する完了検出手段と、
前記短距離無線通信が接続されているか否かを認識する接続認識手段とを有し、
前記残置物検出手段は、前記短距離無線通信が接続されている場合において、当該画像処理装置の前記使用の完了後新たな使用を検出したときに、前記残置物を検出することを特徴とする、請求項２記載の画像処理装置。
【請求項５】
前記残置物検出手段は、所定の時間間隔で前記残置物を検出し、
前記短距離無線通信手段は、前記残置物が検出されたときに、通知を行うことを特徴とする、請求項２記載の画像処理装置。
【請求項６】
前記短距離無線通信によって、前記携帯情報端末の所持者に関する所持者情報と、広告印刷の許否を示す許否情報を前記携帯情報端末から取得する所持者情報取得手段と、
前記所持者情報取得手段で取得された前記許否情報が印刷許可を示す情報の場合に、ネットワークで接続された、広告画像を有する情報処理装置から前記所持者情報に応じた前記広告画像を取得する広告取得手段と、
前記広告画像を形成する画像形成手段と、
を有することを特徴とする、請求項１に記載の画像処理装置。
【請求項７】
当該画像処理装置の利用を検出した場合に開始され、携帯情報端末と短距離無線通信を行う短距離無線通信手順と、
前記短距離無線通信の電波強度に基づいて、当該画像処理装置に最も近接している前記携帯情報端末を近接携帯情報端末として特定する通信対象特定手順とを有し、
前記短距離無線通信手順は、前記近接携帯情報端末と短距離無線通信の接続を行うことを特徴とする、該画像処理装置における通信方法。
【請求項８】
請求項７の通信方法をコンピュータに実行させる通信プログラム。
【請求項９】
請求項１ないし請求項６のいずれか一項に記載の画像処理装置と短距離無線通信を行う携帯情報端末であって、
当該携帯情報端末の位置を認識する位置認識手段と、
当該携帯情報端末とネットワークで接続される情報処理装置から、前記画像処理装置の位置情報及び前記画像処理装置に対応する認識情報を取得する情報取得手段と、
当該携帯情報端末と前記画像処理装置との距離が所定の距離以下となった場合に起動される短距離無線通信手段とを有し、
前記短距離無線通信手段は、取得した前記認識情報と対応する前記画像処理装置と短距離無線通信を接続することを特徴とする携帯情報端末。
【請求項１０】
前記位置認識手段は、ＧＰＳにより取得した位置情報に基づいて位置を認識することを特徴とする、請求項９記載の携帯情報端末。
【請求項１１】
請求項１ないし請求項６のいずれか一項に記載の画像処理装置と短距離無線通信を行う携帯情報端末であって、
前記画像処理装置からＷｉＦｉ通信により受信した信号に基づいて、当該携帯情報端末と前記画像処理装置との距離を検出する距離認識手段と、
前記距離が所定の数値以下となった場合に起動される短距離無線通信手段とを有し、
前記短距離無線通信手段は、前記画像処理装置と短距離無線通信を接続することを特徴とする、請求項９記載の携帯情報端末。
【請求項１２】
携帯情報端末と、前記携帯情報端末と短距離無線通信を行う画像処理装置とからなる情報処理システムであって、
前記携帯情報端末は、
前記画像処理装置との距離を認識する距離認識手段と、
前記画像処理装置との距離が所定の距離を下回った場合に起動され、前記画像処理装置と短距離無線通信を行う第１の短距離無線通信手段とを有し、
前記画像処理装置は、
前記短距離無線通信の電波強度に基づいて、当該画像処理装置に最も近接している前記携帯情報端末を特定する通信対象特定手段と、
当該画像処理装置の利用を検出した場合に起動され、前記通信対象特定手段により特定された前記携帯情報端末の前記第１の短距離無線通信手段と短距離無線通信を行う第２の短距離無線通信手段とを有することを特徴とする、情報処理システム。
【発明の詳細な説明】
【技術分野】
【０００１】
本発明は、画像処理装置、該画像処理装置における通信方法及び通信プログラム、携帯情報端末並びに情報処理システムに関する。
【背景技術】
【０００２】
近年、コンビニエンスストア等に複写機能等を有する複合機が設置され、不特定多数の者が使用する使用形態が一般化している。コピー終了後、複合機にセットした原稿を取り忘れたり、コピーを施した出力用紙を取り忘れたりすることも、ままある。この場合、所有者が忘れ物をしたことに気づかなかったり、忘れられた原稿や出力物の内容からは所有者が特定できず、忘れ物の存在を連絡できないなどの理由で、忘れ物が所有者に戻らないことも多い。
【０００３】
特許文献１には、短距離無線通信を利用することにより、通信会社が提供するサービスを利用することなく原稿を忘れたユーザに対して容易に報知を行うことが可能な無線通信システム及び画像形成装置への画像記録媒体取り忘れ防止方法に関する技術が公開されている（特許文献１参照）。
【発明の開示】
【発明が解決しようとする課題】
【０００４】
Bluetooth通信の接続を確立するためには、接続を行う機器間で同一のＰＩＮコードを入力する必要がある。このＰＩＮコードはパスキーと呼ばれる。
【０００５】
しかし、特許文献１に記載された技術をもってしても、携帯電話にＮＦＣ（Near Field Communication）機能がない場合には自動的にBluetooth通信が確立せず、Bluetooth接続を行うためには手動でパスキーの入力を行わなければならない。また、ＮＦＣ機能があっても、コピー代金の決済を硬貨の投入で行う場合に、本機能を利用したいと考える利用者は、パスキー入力のために携帯電話を複合機にかざす必要があり、手間がかかるという問題があった。
【０００６】
本発明は、上記の点に鑑みてなされたものであって、当該画像処理装置の利用者の携帯情報端末と効率的に接続を行う画像処理装置、該画像処理装置における通信方法及び通信プログラム、携帯情報端末並びに情報処理システムの提供を目的とする。
【課題を解決するための手段】
【０００７】
そこで上記課題を解決するため、本発明の画像処理装置は、当該画像処理装置の使用を検出した場合に起動され、携帯情報端末と短距離無線通信を行う短距離無線通信手段と、前記短距離無線通信の電波強度に基づいて、当該画像処理装置と短距離無線通信を行う前記携帯情報端末を特定する通信対象特定手段とを有し、前記短距離無線通信手段は、前記通信対象特定手段が特定した前記携帯情報端末と短距離無線通信の接続を行うことを特徴とする。
【０００８】
また、上記課題を解決するため、本発明は、上記画像処理装置における通信方法及び通信プログラム、上記画像処理装置と通信を行う携帯情報端末並びに情報処理システムとしてもよい。
【発明の効果】
【０００９】
本発明によれば、当該画像処理装置の利用者の携帯情報端末と効率的に接続を行う画像処理装置、該画像処理装置における通信方法及び通信プログラム、携帯情報端末並びに情報処理システムを提供することができる。
【図面の簡単な説明】
【００１０】
【図１】第１の実施形態における画像処理装置及び携帯情報端末の外観図である。
【図２】画像処理装置及び携帯情報端末のハードウェア構成図である。
【図３】第１の実施形態における画像処理装置及び携帯情報端末の機能ブロック図である。
【図４】Bluetoothが接続されるまでの処理を説明するシーケンス図である。
【図５】第１の実施形態における忘れ物の検出の流れを示すフローチャートである。
【図６】第２の実施形態における忘れ物の検出の流れを示すフローチャートである。
【図７】第２の実施形態における忘れ物の検出処理のシーケンス図である。
【図８】第３の実施形態における携帯情報端末の機能ブロック図である。
【図９】第３の実施形態における処理のシーケンス図である。
【図１０】第４の実施形態における画像処理装置及び携帯情報端末の機能ブロック図である。
【図１１】第４の実施形態においてBluetooth通信が接続されるまでの処理のシーケンス図である。
【図１２】第５の実施形態における画像処理装置の機能ブロック図である。
【図１３】第５の実施形態における画像処理装置の処理のシーケンス図である。
【発明を実施するための形態】
【００１１】
（第１の実施形態）
（画像処理装置１及び携帯情報端末２の外観）
以下、図面に基づいて本発明の実施の形態を説明する。図１は、第１の実施形態における画像処理装置１及び携帯情報端末２の外観図である。尚、以下の説明においては、便宜上、本実施の形態の説明に必要な構成要素が示されている。
【００１２】
画像処理装置１は、一般的なプリンタ機能、複写機能等を有する複合機である。画像処理装置１は、ＡＤＦ（Auto Document Feeder）部１０、表示操作部１１、外部メモリ挿入部１２、出力部１３、カード読取部１４、硬貨取扱部１５を備える。携帯情報端末２は、一般的な携帯電話又はスマートフォン等、携帯する情報端末である。携帯情報端末２は、表示操作部２０、音声出力部２１を備える。
【００１３】
画像処理装置１が備えるＡＤＦ部１０は、読み取りを行う原稿をセットする場所であり、必要に応じて原稿を自動搬送する。表示操作部１１は、液晶ディスプレイを含み、画像処理装置１の操作に関する情報を表示し、ユーザからの操作を受け付ける。操作ボタンであるハードウェアキーを備えることも可能である。
【００１４】
外部メモリ挿入部１２は、ＵＳＢメモリ、ＳＤメモリカードなどの外部メモリを挿入する。出力部１３は、出力された用紙を搭載する。カード読取部１４は、電子マネー機能を有するカードを読み取り、画像処理装置１の使用代金を清算する。硬貨取扱部１５は、ユーザからの硬貨投入を受け付け、画像処理装置１の使用代金を清算する。紙幣を受け付けることも可能である。
【００１５】
携帯情報端末２が備える表示操作部２０は、携帯情報端末２の操作に関する情報を表示し、ユーザの操作を受け付けるほか、以下に説明する忘れ物を報知する画面を表示する。音声出力部２１は、携帯電話の通話音声を出力したり、携帯情報端末２が音楽再生機能を有する場合に音楽を出力したりなどの音声出力を行う。忘れ物を報知する場合には、音声出力部２１により報知音声が出力される。
【００１６】
本構成では、携帯情報端末２を持つユーザが画像処理装置１を使用した際に、ＡＤＦ部１０に原稿を忘れたり、出力部１３に出力物を忘れたり等、所定の忘れ物をした場合に、携帯情報端末２に通知を行う。携帯情報端末１は通知を受信して、音声や画面表示によりユーザに報知を行うため、ユーザは忘れ物を認識することができる。
【００１７】
また、本構成では、携帯情報端末２を持つユーザは予めユーザ情報を携帯情報端末２に入力し、登録しておく。ユーザ情報とは、例えば性別、年齢、職種や趣味等の情報である。画像処理装置１は携帯情報端末２からユーザ情報を取得して、ネットワークで接続されたサーバにユーザ情報を送信する。画像処理装置１は、サーバからユーザ情報に応じた広告画像を取得すると、出力用紙の裏面に広告画像を印刷する。
【００１８】
（画像処理装置１のハードウェア構成）
次に、画像処理装置１及び携帯情報端末２のハードウェア構成を説明する。図２（ａ）は画像処理装置１のハードウェア構成図である。
【００１９】
画像処理装置１は、ＣＰＵ１０１、メモリ装置１０２、Bluetooth（登録商標）通信部１０４、画像処理部１０５、センサ１０６、画像読み取り部１０３、外部メディアＩ／Ｆ１０７、表示部１０８、操作部１０９、精算部１１０を備える。
【００２０】
ＣＰＵ１０１は中央演算装置であり、メモリ装置１０２に記憶されたプログラムに従って処理を実行する。メモリ装置１０２はＲＯＭ、ＲＡＭ又はＨＤＤを備え、画像処理装置１が実行するプログラムを格納する。Bluetooth通信部１０４は短距離無線通信であるBluetoothのインターフェイスであり、本実施形態では携帯情報端末２との通信が行われる。
【００２１】
画像読み取り部１０３でＡＤＦに載置された原稿が読み取られ、画像処理部１０５で所定の画像処理が施される。センサ１０６は一以上設置され、原稿の載置の有無、ＵＳＢの挿入、硬貨の投入、終了ボタンの押下、トレイ上の紙の有無等を検知する。外部メディアＩ／Ｆ１０７は、ＵＳＢメモリ、ＳＤメモリーカード、ＤＶＤ等の着脱可能な外部メディアとのインターフェイスである。
【００２２】
表示部１０８は、プログラムによるＧＵＩ（Graphical User Interface）等を表示する。操作部１０９はタッチパネル等の液晶ディスプレイや操作ボタンで構成され、様々な操作指示の入力を受け付ける。精算部１１０は画像処理装置１の使用代金の精算を行う。精算部１１０は、カード読取部１４や硬貨取扱部１５が受け付けた金額と、画像処理装置の使用料との間の精算を行う。
【００２３】
精算部１１０が硬貨の投入を受け付けると、操作部１０９の入力に基づき画像読み取り部１０３が原稿を読み取り、画像処理部１０５で画像処理を施して出力する。原稿の取り忘れをセンサ１０６が検知すると、Bluetooth通信部１０４により携帯情報端末に通知される。精算は画像処理装置１の使用後に行ってもよい。また、外部メディアから外部メディアＩ／Ｆ１０７を介して入力された画像を出力する処理に関しても、Bluetooth通信部を介した忘れ物の通知が行われる。
【００２４】
（携帯情報端末２のハードウェア構成）
図２（ｂ）は、携帯情報端末２のハードウェア構成である。携帯情報端末２は、ＣＰＵ２０１、メモリ装置２０２、Bluetooth通信部２０３、ＧＰＳ部２０４、報知部２０５を備える。ＣＰＵ２０１は携帯情報端末２における処理を実行する中央演算装置であり、メモリ装置２０２に記憶されたプログラムに従って処理を実行する。メモリ装置はＲＯＭ又はＲＡＭもしくはＨＤＤで構成され、携帯情報端末２における処理に必要なプログラムを格納する。
【００２５】
Bluetooth通信部２０３は短距離無線通信であるBluetoothのインターフェイスであり、本実施形態では画像処理装置１のBluetooth通信部１０４と通信を行う。ＧＰＳ部２０４はＧＰＳ（Global Positioning System）を用いて携帯情報端末２の位置測定を行う。報知部２０５は、画像処理装置１から忘れ物の通知があった場合に、音声又は画面表示によりユーザに報知を行う。
【００２６】
（画像処理装置１の機能と構成）
次に、画像処理装置１及び携帯情報端末２の機能構成を説明する。図３は、画像処理装置１及び携帯情報端末２の機能ブロック図である。画像処理装置１は、使用開始検出部３０１、使用終了検出部３０２、装置制御部３０３、忘れ物検出部３０４、Bluetooth制御部３０５、距離推定部３０６、通信対象特定部３０７を備える。Bluetooth制御部３０５はBluetooth通信部３０８を備える。
【００２７】
使用開始検出部３０１は、センサ１０６により検知された信号から、画像処理装置１の使用開始を検出し、装置制御部３０３に伝える。使用開始とは、硬貨取扱部１５への硬貨投入、又はカード読取部１４からの電子マネー読み取り、操作部１０９への操作、外部メモリ挿入部１２へのメモリ挿入等を指す。装置制御部３０３はBluetooth制御部３０５に対し、Bluetooth通信に用いるアプリケーションを起動するよう命令する。Bluetooth制御部３０５はアプリケーションを起動する。
【００２８】
Bluetoothは、他のBluetooth機器から受信した受信信号強度であるＲＳＳＩ（Received Signal Strength Indication）、又は送信信号強度の値を取得する。Bluetooth制御部３０５は、他のBluetooth機器である携帯情報端末２から受信した受信信号強度である電波強度を距離推定部３０６に伝える。距離推定部３０６は電波強度から、画像処理装置１と携帯情報端末２との距離を推定して通信対象特定部３０７に伝える。
【００２９】
Bluetooth通信の信号を送信した携帯情報端末が一台である場合は、通信対象特定部３０７により、信号を送信した携帯情報端末２がBluetooth通信の通信対象として特定される。信号を送信した携帯情報端末２が複数ある場合は、距離推定部３０６から受け付けた距離に基づいて、画像処理装置１から最も近い距離にある携帯情報端末２が、通信対象特定部３０７により通信対象と特定される。
【００３０】
通信対象特定部３０７はBluetooth制御部３０５に、特定した携帯情報端末２を伝える。Bluetooth通信部３０８は、Bluetooth通信部３０８を介して特定された携帯情報端末２と接続を開始する。
【００３１】
忘れ物検出部３０４は、画像処理装置１に残置された忘れ物を検出し、装置制御部３０３に伝える。尚、ここで検出される忘れ物は、ＡＤＦ部１０に残置された原稿、出力部１３に残置された出力物、外部メモリ挿入部１２に残置された外部メモリを指すが、画像処理装置１に残置された物であって、センサ１０６によって残置を認識することができればこの限りでない。装置制御部３０３は、Bluetooth制御部３０５に忘れ物の存在を伝達し、Bluetooth制御部３０５はBluetooth通信部３０８を介して、残置を認識したセンサ１０６に対応した忘れ物の存在を携帯情報端末２に通知する。
【００３２】
尚、ここでは通信対象特定部３０７が携帯情報端末２を特定するために、距離推定部３０６が受信信号強度に基づいて画像処理装置１と携帯情報端末２との距離を推定し、最も近い距離にある携帯情報端末２を通信対象として特定した。しかし、Bluetooth制御部３０５がBluetooth通信の電波強度をクラス３に設定し、クラス３の電波到達距離である１ｍの範囲内にある携帯情報端末２を通信対象特定部３０７に伝える構成としてもよい。
【００３３】
（携帯情報端末の機能と構成）
携帯情報端末２は、報知制御部４０１，パスキー入力部４０２、サーバ情報送受信部４０３、位置情報認識部４０４、インタフェース部４０５、サービス提供アプリケーション４０６、距離認識部４０７を備える。サービス提供アプリケーション４０６はBluetooth通信部４０８を備える。
【００３４】
インタフェース部４０５は携帯情報端末２にサービスを提供する外部サーバ５０１と無線によりネットワーク接続されており、位置情報認識部４０４はＧＰＳ機能を用いて携帯情報端末２の現在位置を認識する。尚、衛星からの情報に基づいて位置情報を認識できるシステムであれば、ＧＰＳに限定されない。
【００３５】
まず、Bluetooth通信を用いるサービス提供アプリケーション４０６が起動される。本実施形態の場合、サービス提供アプリケーションは忘れ物の報知サービスを提供するアプリケーションである。位置情報認識部４０４は携帯情報端末２の位置情報を認識し、サーバ情報送受信部４０３は、認識された位置情報を含む画像処理装置１の位置情報要求信号を、インタフェース部４０５を介して外部サーバ５０１に送信する。その後サーバ情報送受信部４０３は、画像処理装置１の位置情報をインタフェース部４０５を介して外部サーバ５０１から受信する。
【００３６】
距離認識部４０７は、携帯情報端末２の現在位置及び画像処理装置１の位置情報から、携帯情報端末２と画像処理装置１との距離を認識する。サービス提供アプリケーション４０６は、距離認識部４０７により認識された距離が所定の距離（例えば２ｍ）よりも近い場合に、Bluetoothを起動する。
【００３７】
２台のBluetooth端末の間で接続を確立するためには、ペアリングと呼ばれる操作が必要とされる。ペアリングとは、それぞれの端末から同一のパスキーの入力を行って、接続対象を特定する操作である。ペアリングにより、不特定多数の端末が存在する可能性のある環境の中で、誤接続が防止される。
【００３８】
画像処理装置１のパスキーは予め外部サーバ５０１に記録されており、サーバ情報送受信部４０３は、画像処理装置１の位置情報と共に、外部サーバ５０１からインタフェース部４０５を介して画像処理装置１のパスキーを受信する。パスキー入力部４０２は、画像処理装置１のパスキーをBluetooth制御部に渡す。
【００３９】
パスキーの入力により、サービス提供アプリケーション４０６によりBluetooth通信部４０８を介して携帯情報端末２と画像処理装置１とが接続される。Bluetooth通信により画像処理装置１から忘れ物の通知が来た場合、報知制御部４０１が報知を行う。
【００４０】
尚、画像処理装置１と携帯情報端末２との距離測定を外部サーバ５０１で行い、距離が所定の距離よりも近い場合に外部サーバ５０１からインタフェース部４０５を介してサービス提供アプリケーション４０６に通知が行われ、通知に基づいてサービス提供アプリケーション４０６がBluetoothを起動する構成としてもよい。
【００４１】
また、Bluetooth通信の接続のためのパスキーを外部サーバ５０１から取得することとしたが、本サービスに対応している画像処理装置１は同一の共通パスキーにより接続が行われることとしてもよい。この場合、パスキー入力部４０２は予め共通パスキーを保持するように設定され、サービス提供アプリケーション４０６が画像処理装置１を認識した時点でパスキー入力部４０２に設定されたパスキーを要求し、共通パスキーを入力して接続を開始することとしてもよい。
【００４２】
（Bluetoothが接続されるまでの流れ）
次に、画像処理装置１と携帯情報端末２とでBluetoothの接続が行われるまでの流れを説明する。図４は、Bluetoothが接続されるまでの処理を説明するシーケンス図である。
【００４３】
サービス提供アプリケーション４０６が起動されると、その旨が位置情報認識部４０４に通知される（Ｓ１０１）。位置情報認識部４０４は、サービス提供アプリケーション４０６からの通知を受けて、ＧＰＳ機能を用いて携帯情報端末２の位置情報を取得し、取得した位置情報をサーバ情報送受信部４０３に通知するとともに（Ｓ１０２）、距離認識部４０７にも通知する（Ｓ１０３）。サーバ情報送受信部４０３は、携帯情報端末２の位置情報の通知を受けて、当該位置情報を含む画像処理装置１の位置情報要求信号を生成して、外部サーバ５０１に送信する（Ｓ１０４）。
【００４４】
外部サーバ５０１は、携帯情報端末２の位置情報を含む位置情報要求信号を受けて、サーバ内の画像処理装置１に関するデータベースを検索し、携帯情報端末２に最も近い画像処理装置１の位置情報と、当該画像処理装置１のパスキーとを認識する。外部サーバ５０１は、認識した画像処理装置１の位置情報とパスキーとを、サーバ情報送受信部４０３に送信する（Ｓ１０５）。
【００４５】
サーバ情報送受信部４０３は、受信した画像処理装置１の位置情報を距離認識部４０７に通知するとともに（Ｓ１０６）、受信した画像処理装置１のパスキーをパスキー入力部４０２に通知する（Ｓ１０７）。パスキー入力部４０２に通知されたパスキーは、所定のメモリに記憶される。
【００４６】
距離認識部４０７において、位置情報認識部４０４から通知された携帯情報端末２の位置情報と、サーバ情報送受信部４０３から通知された画像処理装置１の位置情報から、携帯情報端末２と画像処理装置１との距離が認識される。認識された距離は、距離認識部４０７からサービス提供アプリケーション４０６に伝えられる（Ｓ１０８）。携帯情報端末２と画像処理装置１との距離が所定の距離を下回った場合、Ｓ１０９において、サービス提供アプリケーション４０６によりBluetoothが起動される。
【００４７】
一方、画像処理装置１側では、使用開始検出部３０１で画像処理装置１の使用が検出されると、装置制御部３０３に使用開始が伝えられる（Ｓ１１０）。使用開始の通知を受けて、装置制御部３０３がBluetooth制御部３０５に使用開始を伝えると（Ｓ１１１）、Bluetooth制御部３０５がBluetoothを起動する（Ｓ１１２）。尚、便宜上Ｓ１１０における使用の開始の検出が、Ｓ１０６の携帯情報端末１のBluetoothの起動より後に設定されているが、前後は問わない。
【００４８】
画像処理装置１のBluetoothが起動されると、Bluetooth通信部３０８から他のBluetooth機器に対し問い合わせが行われる（Ｓ１１３）。この時点では、まだ携帯情報端末２は特定されておらず、周囲に存在する一又は複数のBluetooth機器に対して、電波の到達範囲に連続して問い合わせを行う。携帯情報端末２のBluetooth通信部４０８がBluetooth通信部３０８からの問い合わせを受信し、画像処理装置１のBluetooth通信部３０８に対して問い合わせに対する応答を行う（Ｓ１１４）。
【００４９】
応答を受信すると、Bluetooth制御部３０５が、携帯情報端末２から受信した応答の電波強度を認識し、距離推定部３０６に伝える（Ｓ１１５）。距離推定部３０６は、通知された電波強度に基づいて携帯情報端末２と画像処理装置１との距離を推定し、推定された距離が通信対象特定部３０７に通知される（Ｓ１１６）。通信対象特定部３０７において、距離推定部３０６から通知された距離に基づき、最も画像処理装置１に近い携帯情報端末２が通信対象に特定され、Bluetooth制御部３０５に伝えられる（Ｓ１１７）。
【００５０】
Bluetooth制御部３０５は、通信対象特定部３０７で特定された携帯情報端末２に対してBluetoothの呼び出しを行うよう制御する。特定された携帯情報端末２に対してBluetooth通信部３０８から呼び出しが行われ（Ｓ１１８）、Bluetooth通信部４０８はBluetooth通信部３０８からの呼び出しを受信する。
【００５１】
Bluetooth通信部３０８において、呼び出しに対する応答がなされ（Ｓ１１９）、画像処理装置１と携帯情報端末２とのBluetoothの同期が完了する。この時点では、まだ画像処理装置１と携帯情報端末２との回線接続は完了しておらず、忘れ物の通知等のデータの送受信は行うことができない。
【００５２】
携帯情報端末２では、Bluetooth通信の同期の完了をサービス提供アプリケーション４０６が認識すると、パスキー入力部４０２に、同期がされたBluetooth通信のパスキーの問い合わせが行われる（Ｓ１２０）。パスキーの問い合わせを受けたパスキー入力部４０２は、メモリに記憶されたパスキーをサービス提供アプリケーション４０６に通知する（Ｓ１２１）。サービス提供アプリケーション４０６が通知されたパスキーを認識すると、Bluetoothにパスキーが入力され、携帯情報端末２のBluetooth通信部４０８と、画像処理装置１のBluetooth通信部３０８との回線接続が行われる（Ｓ１２２）。
【００５３】
尚、パスキーが記憶される所定のメモリは、パスキー設定用のメモリであってもよい。この場合、Ｓ１２０及びＳ１２１は不要である。
【００５４】
本実施形態において、画像処理装置１側では、使用が検出されると自動でBluetoothが起動される。携帯情報端末２側ではサービス提供アプリケーション４０６が起動されると、携帯情報端末２から一番近い画像処理装置１の位置情報と、画像処理装置１のパスキーを受信し、ユーザがさらに画像処理装置１に近づくとBluetoothが起動され、画像処理装置１と通信を行う。この構成により、画像処理装置１と携帯情報端末２との間で自動的にBluetooth通信が接続され、Bluetooth通信の接続の際に、ユーザが操作に煩わされることがない。
【００５５】
（忘れ物検出の流れ）
次に、画像処理装置１に残置された忘れ物を検出する処理の流れを説明する。図５は、第１の実施形態における忘れ物の検出の流れを示すフローチャートである。以下、ユーザ１が有する携帯情報端末２ａが画像処理装置１とペアリングを行い、Bluetoothが接続されていることとする。
【００５６】
Ｓ２０１において、ユーザ１のコピーが終了し、ユーザ１が所定距離外に移動する。所定距離とは、例えばBluetooth通信のクラス３の電波到達範囲である１ｍとする。画像処理装置１の距離推定部３０６が、Bluetooth制御部３０５の電波強度に基づき携帯情報端末２ａとの距離を推定して装置制御部３０３に伝え、装置制御部３０３が１ｍを超えたと判断すると、Ｓ２０２で忘れ物検出部３０４により忘れ物が検出される。尚、この場合、Bluetooth通信はクラス２の電波強度で通信が行われている。
【００５７】
忘れ物が検出された場合、Ｓ２０３に進み、Bluetooth通信を介して携帯情報端末２ａに忘れ物の存在が通知され、携帯情報端末２ａがユーザ１に忘れ物の報知を行う。その後、Ｓ２０４において、画像処理装置１と携帯情報端末２ａとのBluetooth通信の接続が解除される。
【００５８】
Ｓ２０２において、忘れ物検出部３０４により忘れ物が検出されなかった場合、Ｓ２１１に進む。ユーザ１がさらに移動した場合、Bluetooth通信の接続距離範囲を超える。例えば電波をクラス２に設定している場合、電波の到達範囲は１０ｍであるので、ユーザ１が画像処理装置１から１０ｍ離れた場所に移動した場合、Bluetooth通信は切断される。Ｓ２１２において、画像処理装置１と携帯情報端末２ａとのBluetooth通信の接続の解除処理が行われる。
【００５９】
ユーザが移動して画像処理装置１から離れた場合に忘れ物を検出し、忘れ物がある場合に携帯情報端末２に通知されるため、ユーザは忘れ物の存在を知ることができ、便利である。
【００６０】
尚、本実施形態において、Ｓ２０３で携帯情報端末２ａに忘れ物の存在が通知された後、Ｓ２０４において携帯情報端末２ａとのBluetooth通信の接続を解除することとした。ただし、ユーザ１が画像処理装置１から１０ｍの範囲内にいる場合、一定間隔で携帯情報端末２aに忘れ物の通知を行い、携帯情報端末２aが通知に基づいて繰り返しユーザ１に忘れ物の報知を行う構成としてもよい。
【００６１】
また、本実施形態ではBluetooth制御部３０５が忘れ物の存在を携帯情報端末２ａに通知することとしたが、通知の際に忘れ物の種類を併せて通知することとしてもよい。検出した忘れ物の種類をBluetooth制御部３０５が携帯情報端末のBluetooth通信部４０８に通知し、報知制御部４０１がユーザ１に忘れ物の種類、例えばＡＤＦ部１０に残置された書類とか、出力部１３に残置された書類である等の報知を行ってもよい。
【００６２】
さらに、ユーザ１が移動して電波の到達範囲を超えた場合にBluetooth通信が切断されることとしたが、Bluetooth通信の開始後一定時間を経過したら切断することとしてもよい。
【００６３】
（第２の実施形態）
（忘れ物検出の流れ）
次に、第２の実施形態における忘れ物検出の流れについて説明する。第１の実施形態では、所定距離を１ｍとし、ユーザ１が画像処理装置１から１ｍ離れた時点で忘れ物検出部３０４により忘れ物が検出された。第２の実施形態は、ユーザ１が画像処理装置１を使用し、ユーザ１が画像処理装置１から１ｍ以上離れる前に、別のユーザ２が画像処理装置１を使用した場合である。以下、第２の実施形態が第１の実施形態と異なる点について説明し、その他については説明を省略する。
【００６４】
図６は、第２の実施形態における忘れ物検出の流れを示すフローチャートである。画像処理装置１とユーザ１の持つ携帯情報端末２ａとのBluetooth通信が接続されており、ユーザ１が画像処理装置１から所定距離内にいることを前提とする。
【００６５】
Ｓ３０１において、ユーザ２が画像処理装置１に硬貨を投入する。ここでは硬貨投入としたが、画像処理装置１の使用開始検出部３０１が使用開始を検出できれば、操作部１０９の操作や外部メモリの挿入等でもよい。使用が検出されると、Ｓ３０２において忘れ物検出部３０４が忘れ物の検出を行う。
【００６６】
忘れ物が検出された場合、Ｓ３０３に進み、画像処理装置１と接続を継続している携帯情報端末２に対し、Bluetooth通信部３０８により忘れ物が通知される。その後、Ｓ３０４において、画像処理装置１と携帯情報端末２ａとのBluetooth通信の接続が解除される。Ｓ３０２において忘れ物が検出されなかった場合、Ｓ３１１に進み、ユーザ１がBluetooth通信の接続距離外に移動する。その後、Ｓ３１２において、画像処理装置１と携帯情報端末２ａとのBluetooth通信の接続解除処理が行われる。
【００６７】
（忘れ物検出のシーケンス図）
次に、第２の実施形態における忘れ物検出について、シーケンス図を用いて説明する。図７は、第２の実施形態における忘れ物の検出処理のシーケンス図である。ユーザ１による画像処理装置１の使用が検出され、画像処理装置１とユーザ１が持つ携帯情報端末２ａとのBluetooth通信が接続されている。ユーザ２は携帯情報端末２ｂを持っている。
【００６８】
使用終了検出部３０２によりユーザ１の画像処理装置１の使用終了が検出され、装置制御部３０３に伝えられる（Ｓ４０１）。使用終了の検出は、精算部１１０が受け付ける代金の精算、操作部１０９が受け付ける操作終了指示、外部メディアＩ／Ｆ１０７が受け付ける外部メディアの取り外し等をセンサ１０６が検知した場合に、使用終了として検出する。装置制御部３０３は、使用終了の検出をもってユーザ１の使用が終了したことを認識する。
【００６９】
次に、ユーザ２の有する携帯情報端末２ｂと画像処理装置１との距離が所定の距離以内に近づくと、携帯情報端末２ｂのサービス提供アプリケーション４０６によりBluetooth通信が起動される（Ｓ４０２）。Bluetooth通信起動の手順は、先に説明した通りである。尚、使用終了検出部３０２による使用終了検出より先であってもよい。
【００７０】
ユーザ２が画像処理装置１を使用すると、使用開始検出部３０１により使用開始が検出され、装置制御部３０３に通知される（Ｓ４０３）。装置制御部３０３は、使用開始検出の通知を受けて、Bluetooth制御部３０５に使用開始を伝える（Ｓ４０４）。装置制御部３０３からの通知を受けて、Bluetooth制御部３０５はBluetooth通信が接続中であるか否かを確認する（Ｓ４０５）。Bluetooth制御部３０５によって、Bluetooth通信が携帯情報端末２ａと接続中であることが確認され、装置制御部３０３に伝えられる（Ｓ４０６）。
【００７１】
装置制御部３０３は、Bluetooth制御部３０５からの通知により、Bluetooth通信の接続中に使用開始が検出されたと認識し、忘れ物検出部３０４に忘れ物の検出を指示する（Ｓ４０７）。忘れ物検出の指示を受けて、忘れ物検出部３０４はセンサ１０６を用いて忘れ物の検出を行い、検出した忘れ物を装置制御部３０３に伝達する（Ｓ４０８）。
【００７２】
忘れ物の通知を受けて、装置制御部３０３はBluetooth制御部に忘れ物の存在を伝え（Ｓ４０９）、Bluetooth通信部３０５はBluetooth通信を介してサービス提供アプリケーション４０６に忘れ物の通知を送信する（Ｓ４１０）。忘れ物の通知を受信したサービス提供アプリケーション４０６は、報知制御部４０１に忘れ物を伝え（Ｓ４１１）、報知制御部４０１はユーザ１に忘れ物を報知する。その後、サービス提供アプリケーション４０６により画像処理装置１とのBluetooth通信が切断される（Ｓ４１２）。
【００７３】
Bluetooth制御部３０５がBluetooth通信の切断を認識すると、Bluetooth制御部３０５は他のBluetooth機器に対してBluetooth通信部３０８を介して問い合わせを行う（Ｓ４１３）。この時点では、まだBluetooth制御部３０５は携帯情報端末２ｂを認識しておらず、複数のBluetooth機器の応答を求める。次いで、携帯情報端末２ｂのBluetooth通信部４０８等、複数のBluetooth機器が問い合わせに対する応答を行う（Ｓ４１４）。
【００７４】
Bluetooth通信部３０８は、携帯情報端末２ｂを含む複数のBluetooth機器からの応答を受信する。Bluetooth制御部３０５は、Bluetooth通信部３０８が受信した複数の応答の電波強度を認識し、距離推定部３０６に通知する（Ｓ４１５）。距離推定部３０６は、通知された電波強度に基づいて、それぞれのBluetooth機器と画像処理装置１との距離を推定する。距離推定部３０６は、推定した距離を通信対象特定部３０７に伝える（Ｓ４１６）。
【００７５】
通信対象特定部３０７が、最も画像処理装置１の近くにある携帯情報端末２ｂをBluetooth通信の通信対象として特定し、サービス提供アプリケーション４０６に伝える（Ｓ４１７）。この後、携帯情報端末２ｂで自動的にパスキーが入力され、画像処理装置１と携帯情報端末２ｂとのBluetooth通信が接続される。
【００７６】
ユーザ１がまだ画像処理装置１の傍にいる場合でも、他のユーザ２が画像処理装置１を使用すると忘れ物が検出され、ユーザ１に伝えられるため、ユーザ１は忘れ物の存在を知ることができる。
【００７７】
（第３の実施形態）
次に、第３の実施形態における携帯情報端末２の機能を説明する。図８は、第３の実施形態における携帯情報端末２の機能ブロック図である。尚、以下第１の実施形態と異なる点について説明を行い、その他の点については説明を省略する。
【００７８】
第３の実施形態では、携帯情報端末２は忘れ物判定部４１０を有し、画像処理装置１の忘れ物検出部３０４は一定間隔で残置物の検出を行う。検出された残置物はその都度Bluetooth通信部４０８を介して忘れ物判定部４１０に送信される。例えばＡＤＦ部１０にセットされた原稿が検知された場合、原稿が残置物として忘れ物判定部４１０に通知される。忘れ物判定部４１０は、残置物を忘れ物候補として記憶する。
【００７９】
忘れ物検出部３０４は、残置物が取り除かれた場合も、残置物の状況を検出結果として携帯情報端末２に通知する。通知は忘れ物判定部４１０に記憶される。
【００８０】
画像処理装置１と携帯情報端末２とのBluetooth通信の接続が切断されると、サービス提供アプリケーション４０６は忘れ物判定部４１０に接続切断を伝える。忘れ物判定部４１０は、接続切断の時点でまだ残置物があった場合に、残置物を忘れ物と判断して報知制御部４０１に伝え、報知制御部４０１はユーザに忘れ物を報知する。
【００８１】
以下、第３の実施形態における処理の流れを説明する。図９は、第３の実施形態における処理のシーケンス図である。画像処理装置１と携帯情報端末２とのBluetooth通信が接続されていることとする。
【００８２】
ユーザ１が画像処理装置１の使用を開始する。忘れ物検出部３０４が残置物の検出を行い、残置物が検出された場合は装置制御部３０３に通知する。ここでは、外部メモリ挿入部１２に挿入したＵＳＢメモリが残置物として検出されたこととし、ＵＳＢメモリが残置物として検出されたとする情報が忘れ物検出部３０４から装置制御部３０３に通知される（Ｓ５０１）。
【００８３】
装置制御部３０３は、忘れ物検出部３０４からの通知を受けて、ＵＳＢメモリが検知されたとする情報をBluetooth制御部３０５に伝える（Ｓ５０２）。Bluetooth制御部は、装置制御部３０３からの通知を受けて、Bluetooth通信部３０８を介して携帯情報端末２ａのサービス提供アプリケーション４０６にＵＳＢメモリが検知された情報を送信する（Ｓ５０３）。サービス提供アプリケーション４０６は、Bluetooth通信により受信した情報に基づいて、忘れ物判定部４１０にＵＳＢメモリが検知された情報を伝える（Ｓ５０４）。
【００８４】
次に、忘れ物検出部３０４は出力物を検出する。出力物が検出されたとする情報が、忘れ物判定部３０４から装置制御部３０３に伝達される（Ｓ５１１）。装置制御部３０３は、忘れ物判定部３０４からの通知を受けて、Bluetooth制御部３０５に出力物検出の情報を伝える（Ｓ５１２）。Bluetooth1制御部３０５は、装置制御部３０３からの通知を受けて、出力物が検出されたとする情報をBluetooth通信を介してサービス提供アプリケーション４０６に送信する（Ｓ５１３）。サービス提供アプリケーション４０６は、Bluetooth制御部３０５から受信した出力物検出の情報を（Ｓ５１３）、忘れ物判定部４１０に通知する（Ｓ５１４）。
【００８５】
次に、忘れ物検出部３０４により出力物の除去が検出される。出力物が除去されたとする情報が、忘れ物検出部３０４から装置制御部３０３に伝達される（Ｓ５２１）。装置制御部３０３によりBluetooth制御部３０５に、出力物除去の情報が通知され（Ｓ５２２）、Bluetooth制御部３０５から出力物除去の情報がBluetooth通信によりサービス提供アプリケーション４０６に送信される（Ｓ５２３）。
【００８６】
サービス提供アプリケーション４０６は、Bluetooth通信部３０５から受信した出力物除去の情報を、忘れ物判定部４１０に通知する（Ｓ５２４）。忘れ物判定部４１０は、出力物除去の情報を受けて、出力物検出の情報を削除する。その結果、この時点で忘れ物判定部４１０には、「ＵＳＢメモリ検知」「出力物検知」「出力物除去」の情報が記憶されていることになる。
【００８７】
ユーザ１が画像処理装置１から１０ｍ離れることで、携帯情報端末２と画像処理装置１とのBluetooth通信が切断される（Ｓ５３１）。サービス提供アプリケーション４０６は、Bluetooth通信の切断を認識し、忘れ物判定部４１０にBluetooth通信の切断を伝える（Ｓ５３２）。忘れ物判定部４１０は、Bluetooth切断時に記憶している情報から、忘れ物を判定する。この場合、ＵＳＢメモリの除去が検知されていないので、ＵＳＢメモリを忘れ物と判定する。忘れ物判定部４１０は報知制御部４０１に忘れ物を通知し（Ｓ５３３）、報知制御部４０１はユーザに忘れ物を報知する。
【００８８】
本実施形態では、画像処理装置１では検出した情報をその都度携帯情報端末２に送信し、忘れ物の判断は携帯情報端末２により行われる。画像処理装置１は、携帯情報端末２との距離を監視する必要がなく、単純な処理工程で忘れ物の報知を行うことができる。
【００８９】
尚、ここではユーザ１がBluetooth通信の接続距離範囲を超えて移動した場合にBluetooth通信が切断されるとしたが、ユーザ１が移動する前に画像処理装置１が次のユーザ２の使用を検出した場合に、Bluetooth通信が切断されることとしてもよい。その場合は、ユーザ１の携帯情報端末２とのBluetooth通信の接続中に画像処理装置１の使用終了を検出し、その後使用開始が検出された場合に、次のユーザ２により使用されたと判断し、ユーザ１とのBluetooth通信を切断することとすればよい。
【００９０】
この構成では、忘れ物をしたユーザに報知を行う点は第１及び第２の実施形態と同様だが、次のユーザが使用を開始した時にBluetooth通信の接続を切断し、次のユーザと接続を開始することができ、全体的な処理速度が向上する。
【００９１】
（第４の実施形態）
（画像処理装置１と携帯情報端末２の機能）
上述の第１の実施形態から第３の実施形態においては、携帯情報端末２がBluetoothを起動するために、ＧＰＳ機能を用いて携帯情報端末２の位置情報を取得し、外部サーバから画像処理装置１の位置情報を取得して距離を認識していた。本実施形態では、ＷｉＦｉ（登録商標）通信を用いて携帯情報端末２と画像処理装置１との距離を認識する。上述の実施形態と重複する部分については説明を省略する。図１０は、第４の実施形態における画像処理装置１及び携帯情報端末２の機能ブロック図である。
【００９２】
画像処理装置１は、ＷｉＦｉ制御部３０９及びＷｉＦｉインタフェース部３１０を備える。携帯情報端末２は、ＷｉＦｉ制御部４１９及びＷｉＦｉインタフェース部４２０を備える。
【００９３】
画像処理装置１はＷｉＦｉ通信において、いわゆるアクセスポイントの機能を有している。ＷｉＦｉ制御部３０９は、クライアントである携帯情報端末２にビーコン信号を送信し、情報処理端末２からの問合せに対応して携帯情報端末２と通信を行うよう、ＷｉＦｉインタフェース部３１０を制御する。ＷｉＦｉインタフェース部３１０は、ＷｉＦｉ制御部３０９の制御により画像処理装置１と他の装置のＷｉＦｉインタフェースと通信を行う。
【００９４】
携帯情報端末２のＷｉＦｉインタフェース部４２０は、ＷｉＦｉ制御部４１９の制御により、ＷｉＦｉアクセスポイント等のＷｉＦｉインタフェースと通信を行う。携帯情報端末２のＷｉＦｉ制御部４１９は、アクセスポイントからのビーコン信号を受け、通信可能か否かを問合せ、通信可能であれば画像形成装置１と通信を行う。
【００９５】
携帯情報端末２には、ＷｉＦｉ通信を利用してアクセスポイントとの距離を確認するアプリケーションをダウンロードしておく。ＷｉＦｉ制御部は、画像処理装置１から受信したＷｉＦｉの信号に含まれる画像処理装置１のＭＡＣアドレスと信号強度とを、インタフェース部４０５を介して外部サーバ５０１に送信する。
【００９６】
外部サーバ５０１には、予めアクセスポイントである画像処理装置１の位置情報が登録されているため、外部サーバ５０１は画像処理装置１の位置情報とＷｉＦｉの電波強度から携帯情報端末２の位置を特定し、画像処理装置１の位置情報とともにインタフェース部４０５に送信する。
【００９７】
外部サーバ５０１から取得した画像処理装置１と携帯情報端末２の位置情報は、インタフェース部４０５からサーバ情報送受信部４０３に通知され、距離認識部４０７に伝えられる。距離認識部４０７は、ダウンロードされた距離認識アプリケーションに基づいて、画像処理装置１と携帯情報端末２との位置情報から、画像処理装置１と携帯情報端末の間の距離を算出する。距離が一定以下になった場合に、Bluetoothを起動させる。
【００９８】
また、第１の実施形態から第３の実施形態においては、外部サーバ５０１からBluetoothのパスキーを取得したが、携帯情報端末２はＷｉＦｉ通信によってパスキーを取得することもできる。画像処理装置１は、アクセスポイントとして所定の間隔でビーコン信号を発信しているが、このビーコン信号にパスキーを含めることとしてもよい。この場合、ＷｉＦｉインタフェース部４２０を経由して信号を受信した携帯情報端末２のＷｉＦｉ制御部４１９は、パスキーをパスキー入力部４０２に通知する。
【００９９】
尚、画像処理装置１から携帯情報端末２が受信したＷｉＦｉの信号の信号強度に基づいて、携帯情報端末２が直接画像処理装置１との距離を認識してもよい。この場合、ＷｉＦｉ制御部４１９から信号強度が距離認識部４０７に通知され、距離認識部４０７は信号強度に基づいて、当該携帯情報端末２と画像処理装置１との距離を算出するよう制御する。
【０１００】
（Bluetooth通信接続までの処理）
次に、第４の実施形態におけるBluetooth通信の接続までの処理について説明する。図１１は、第４の実施形態においてBluetooth通信が接続されるまでの処理のシーケンス図である。
【０１０１】
まず、画像処理装置１のＷｉＦｉ制御部３０９が、ＷｉＦｉインタフェース３１０を経由してビーコン信号を発信する。発信した信号を、携帯情報端末２のＷｉＦｉ制御部４１９がＷｉＦｉインタフェース４２０を介して受信する（Ｓ６０１）。ＷｉＦｉ制御部４１９は、受信した信号に含まれる画像処理装置１のＭＡＣアドレスと受信した信号の信号強度とをインタフェース部４０５に通知する（Ｓ６０２）。インタフェース部４０５は、画像処理装置１のＭＡＣアドレスと受信信号強度とを外部サーバに通知する（Ｓ６０３）。
【０１０２】
外部サーバ５０１には、予めＷｉＦｉのアクセスポイントである画像処理装置１の位置情報が登録されている。外部サーバ５０１は、携帯情報端末画像２から受信したＭＡＣアドレスに基づいて、ＷｉＦｉの信号を携帯情報端末２に送信した画像処理装置１を特定し、画像処理装置１の位置情報とＷｉＦｉの信号強度に基づいて、携帯情報端末２の位置を特定する。特定された携帯情報端末２の位置情報と、ＷｉＦｉの信号に含まれるＭＡＣアドレスに対応する画像処理装置１の位置情報とが、外部サーバ５０１からインタフェース部４０５を経由してサーバ情報送受信部４０３に送信される（Ｓ６０４）。
【０１０３】
サーバ情報送受信部４０３は、外部サーバから受信した携帯情報端末２と画像処理装置１の位置情報とを距離認識部４０７に通知する（Ｓ６０５）。距離認識部４０７は、通知された情報から携帯情報端末２と画像処理装置１との距離を認識し、距離が一定の数値を下回った場合にサービス提供アプリケーション４０６に通知する（Ｓ６０６）。サービス提供アプリケーション４０６は、Bluetoothを起動する（Ｓ６０７）。
【０１０４】
画像処理装置１のＷｉＦｉ制御部３０９は、ＷｉＦｉインタフェース３１０を経由して常時ＷｉＦｉの信号を発信しているが、当該画像処理装置１のBluetooth通信に用いるパスキーもＷｉＦｉの信号に含めて送信している。携帯情報端末１のＷｉＦｉ制御部４１９が、ＷｉＦｉ通信によって画像処理装置１のパスキーを受信する（Ｓ６０８）。尚、この際のパスキーの受信は、Ｓ６０１の際に行われていてもよい。パスキーはＷｉＦｉ制御部４１９からパスキー入力部４０２に通知され（Ｓ６０９）、所定のメモリに記憶される。
【０１０５】
画像処理装置１の使用開始検知部３０１において画像処理装置の使用開始が検知されてから、画像処理装置１と携帯情報端末２との間でBluetooth通信の回線が接続されるまでの処理は（Ｓ６１０〜Ｓ６２２）、図４におけるＳ１１０からＳ１２２までの処理と同様であるため、説明を省略する。この構成により、携帯情報端末２は衛星に依らず手軽に画像処理装置１との距離を認識することができる。
【０１０６】
尚、第４の実施形態においては、ＷｉＦｉ通信を用いて携帯情報端末２がBluetooth通信のパスキーを取得し、パスキーの入力により確立したBluetooth通信を用いて忘れ物の報知を行うこととしたが、忘れ物の報知をＷｉＦｉ通信で行うこととしてもよい。この場合、画像処理装置１から送信したビーコン信号に対して携帯情報端末１が応答を行い、ＷｉＦｉ通信が確立した後、画像処理装置１の忘れ物検出部３０４が忘れ物を検出すると、ＷｉＦｉ制御部３０９は忘れ物検出部３０４からの通知を受けるよう構成する。ＷｉＦｉ制御部３０９は、忘れ物を報知する信号（フレーム）を生成し、ＷｉＦｉ通信を用いて情報処理端末２に伝える。
【０１０７】
（第５の実施形態）
（画像処理装置１の機能）
次に、画像処理装置１と携帯情報端末２とのBluetooth通信を用いて、画像処理装置１が携帯情報端末２のユーザに関する情報を取得し、取得した情報に応じて広告を印刷する第５の実施形態について説明する。第５の実施形態では、ユーザは予め、携帯情報端末２にユーザに関する情報（例えば年齢、性別等）を登録する。画像処理装置１はBluetooth通信を介して情報を取得し、ユーザの情報に対応した広告をサーバから取得し、出力用紙の裏面に広告を印刷する。図１１は、第５の実施形態における画像処理装置１の機能ブロック図である。上述の実施形態と重複する部分については、説明を省略する。
【０１０８】
画像処理装置１は、広告制御部３１１、ユーザ情報取得部３１２、広告生成部３１３、ネットワークＩ／Ｆ３１４、処理受付部３２０を備える。また、外部サーバ５０１は、少なくともネットワークＩ／Ｆ５１１、広告制御部５１０、広告履歴記憶部５１２、広告情報記憶部５１３を備える。
【０１０９】
ユーザは予め携帯情報端末２に、ユーザに関連する情報を入力しておく。ユーザに関連する情報とは、例えば年齢、性別、職種、趣味等の情報であり、サービス提供アプリケーション４０６により提示されるアンケートに答える等の方法で情報が登録される。登録情報は、Bluetooth通信を介してユーザ情報取得部３１２が取得する。
【０１１０】
処理受付部３２０は、当該画像処理装置１において、コピー処理などの所定の処理を受け付ける。処理受付部３２０は、所定の処理を受け付ける際に、広告の生成を許可するか否かの入力を併せて受け付ける。広告制御部３１１は、処理受付部３２０において広告の生成が許可された場合に、広告の生成や出力を制御する。
【０１１１】
広告生成部３１３は、外部サーバ５０１から受信した広告画像を出力する。広告画像の出力は、例えばコピー処理について行う場合、出力用紙の裏面や余白に広告画像を形成する。ネットワークＩ／Ｆ３１４は、画像処理装置１と外部サーバ５０１とを経由するネットワークについてのインターフェイスである。
【０１１２】
外部サーバ５０１のネットワークＩ／Ｆ５１１は、画像処理装置１を含めた他の機器とのネットワークインターフェイスである。広告制御部５１０は、携帯情報端末２に登録されたユーザに関する情報を解析し、ユーザに応じた広告を選択し、広告の送受信を制御する。広告情報記憶部５１３は、広告を蓄積する記憶部である。広告履歴記憶部５１２は、どのユーザにどの広告を出力したかを示す履歴情報をユーザ毎に記憶する。
【０１１３】
（画像処理装置１の処理）
次に、第５の実施形態における画像処理装置１の処理について説明する。図１３は、第５の実施形態における画像処理装置の処理のシーケンス図である。以下、ユーザは予め、携帯情報端末２にユーザに関連する情報であるユーザ関連情報を登録しており、画像処理装置１と携帯情報端末２のBluetooth通信の回線が接続されているものとして説明する。
【０１１４】
処理受付部３２０は、広告を許可する操作を受け付け、広告を許可されたことを示す情報をユーザ情報取得部３１２に通知する（Ｓ７０１）。ユーザ情報取得部３１２は、Bluetooth制御部３０３に対してユーザ関連情報を要求する（Ｓ７０２）。Bluetooth制御部３０５は、Bluetooth通信を介して携帯情報端末２から取得したユーザ関連情報をユーザ情報取得部３１２に通知する（Ｓ７０３）。
【０１１５】
ユーザ情報取得部３１２は、広告制御部３１１に対し、ユーザ関連情報と広告許可を示す情報とを通知する（Ｓ７０４）。広告制御部３１１は、広告許可情報に基づいて、ユーザ関連情報を外部サーバ５０１に送信するため、ユーザ関連情報をネットワークＩ／Ｆ３１４に伝える（Ｓ７０５）。
【０１１６】
外部サーバ５０１のネットワークＩ／Ｆ５１１がネットワークを介してユーザ関連情報を受信すると（Ｓ７０６）、ユーザ関連情報は広告制御部５１０に通知される（Ｓ７０７）。広告制御部５１０はユーザ関連情報を解析する（Ｓ７０８）。また、広告制御部５１０は受信した情報に含まれるユーザの識別情報に基づいて、広告履歴記憶部５１３に該ユーザに送信した広告の履歴を問い合わせる（Ｓ７０９）。
【０１１７】
広告制御部５１０は広告の履歴を広告履歴記憶部５１３から取得し（Ｓ７１０）、ユーザ関連情報に対応した広告であって該ユーザに対してまだ表示していない広告を広告情報記憶部５１２に要求する（Ｓ７１１）。広告制御部５１０は、要求に応じた広告を広告情報記憶部５１２から取得する（Ｓ７１２）。
【０１１８】
広告制御部５１０は、広告情報記憶部５１２から取得した広告を画像処理装置１に送信するために、ネットワークＩ／Ｆ５１１に通知する（Ｓ７１３）。一方で、広告制御部５１０は、取得した広告をユーザの識別情報と関連付けて履歴を更新する（Ｓ７１４）。画像処理装置１のネットワークＩ／Ｆ３１４は、ネットワークを経由して外部サーバ５０１から広告を受信し（Ｓ７１５）、広告制御部３１１はネットワークＩ／Ｆ３１４から広告を取得する（Ｓ７１６）。広告制御部７１５は取得した広告を広告生成部３１３に通知すると（Ｓ７１７）、広告生成部３１３は出力用紙の裏面に広告を形成し、出力する（Ｓ７１８）。
【０１１９】
ユーザと画像処理装置１の間でBluetooth通信が確立している場合に、ユーザに関連する情報を取得し利用することで、ユーザに見合った広告配信サービスを提供することができる。広告を許可したユーザに対しては、例えば印刷料金を割り引いたり、広告に割り引きクーポンを付加するサービスを行うことで、広告配信側だけでなくユーザにもメリットのあるサービスが実現する。また、履歴を記憶しておくことで、次回には違う広告を配信することができる。
【０１２０】
（変形例）
尚、上述の説明において、ユーザはコピー指示の際に広告の形成を許可する操作を行ったが、携帯情報端末２にユーザ関連情報を登録する際に、併せて広告形成の可否を携帯情報端末２に登録するよう構成してもよい。裏面に広告を形成することを厭わないユーザであれば、予め携帯情報端末２に広告許可登録しておけば、画像処理装置１に対して許可の操作をする手間が省け、広告がもたらす利益を享受することができる。
【０１２１】
（各請求項の対応）
尚、本明細書において、Bluetooth通信とは短距離無線通信に相当し、忘れ物とは残置物に相当する。ユーザ関連情報とは所持者情報に相当する。
【０１２２】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１２３】
１      画像処理装置
２      携帯情報端末
３０１  使用開始検出部
３０２  使用終了検出部
３０３  装置制御部
３０４  忘れ物検出部
３０５  Bluetooth制御部
３０６  距離推定部
３０７  通信対象特定部
３０８  Bluetooth通信部
３１１  広告制御部
３１２  ユーザ情報取得部
３１３  広告生成部
４０３  サーバ情報送受信部
４０４  位置情報認識部
４０６  サービス提供アプリケーション
４０８  Bluetooth通信部
４１９  ＷｉＦｉ制御部
【先行技術文献】
【特許文献】
【０１２４】
【特許文献１】特開２０１０−１５４０３０号公報
【図１】
2013146048.tif 000003
【図２】
2013146048.tif 000004
【図３】
2013146048.tif 000005
【図４】
2013146048.tif 000006
【図５】
2013146048.tif 000007
【図６】
2013146048.tif 000008
【図７】
2013146048.tif 000009
【図８】
2013146048.tif 000010
【図９】
2013146048.tif 000011
【図１０】
2013146048.tif 000012
【図１１】
2013146048.tif 000013
【図１２】
2013146048.tif 000014
【図１３】
2013146048.tif 000015